【手続補正書】
【提出日】平成27年8月11日(2015.8.11)
【手続補正１】
【補正対象書類名】特許請求の範囲
【補正対象項目名】全文
【補正方法】変更
【補正の内容】
【特許請求の範囲】
【請求項１】
入力された入力ビット列をターボ符号により誤り訂正符号化して、符号化ビット列を生成するビット符号化装置であって、
前記入力ビット列をターボ符号化して、第１のビット列を生成する符号化部と、
前記第１のビット列から、第２のビット列を抽出する抽出部と、
前記第２のビット列を非可逆圧縮して、第３のビット列を生成する情報圧縮部と
を具備し、
前記符号化ビット列は、前記第３のビット列の少なくとも一部を含むこと
を特徴とするビット符号化装置。
【請求項２】
前記情報圧縮部は、前記第２のビット列を構成するビット同士を排他的論理和の演算することで、前記第３のビット列を生成することを特徴とする請求項１に記載のビット符号化装置。
【請求項３】
前記排他的論理和の演算は、３ビット以上の排他的論理和の演算であることを特徴とする請求項２に記載のビット符号化装置。
【請求項４】
前記第３のビット列のうち、前記符号化ビット列に含まれるビットを複製する複製部と、
前記符号化ビット列を用いて変調シンボルを生成したときに、すくなくとも一部の変調シンボルは、前記複製部による複製の複製元のビットと、複製されたビットとを含むビット群に応じた変調シンボルとなるように、前記符号化ビット列の並び順を決定する変調ビット構成部と
を具備することを特徴とする請求項１に記載のビット符号化装置。
【請求項５】
請求項１に記載のビット符号化装置により符号化された符号化ビット列に基づく信号を復号するビット復号装置であって、
入力された信号から前記第３のビット列に対応する信号を抽出する判別部と、
前記入力された信号に対してターボ復号処理を行う復号部と、
前記判別部が抽出した信号と前記復号部の復号処理結果とを用いて、前記第２のビット列の少なくとも一部に対応する信号を生成する外部情報抽出部と
を具備し、
前記復号部は、少なくとも一回は、前記外部情報抽出部が生成した信号を用いて、前記入力された信号に対する復号処理を行うこと
を特徴とするビット復号装置。
【請求項６】
前記外部情報抽出部は、前記判別部が抽出した信号と、前記復号処理結果のうち前記第２のビット列に対応する部分の一部との排他的論理和を算出することで、前記第２のビット列の少なくとも一部に対応する信号を生成することを特徴とする請求項５に記載のビット復号装置。
【請求項７】
請求項４に記載のビット符号化装置により符号化された符号化ビット列に基づく信号を復号するビット復号装置であって、
入力された信号のうち、前記複製元のビットに対応する信号と前記複製されたビットに対応する信号とを合成する合成部と、
前記入力された信号に対して復号処理を行う復号部と、
前記合成部が合成した信号と前記復号部の復号処理結果とを用いて、前記第２のビット列の少なくとも一部に対応する信号を生成する外部情報抽出部と
を具備し、
前記復号部は、少なくとも一回は、前記外部情報抽出部が生成した信号を用いて、前記入力された信号に対する復号処理を行うこと
を特徴とするビット復号装置。
【請求項８】
請求項１に記載のビット符号化装置と、
前記ビット符号化装置が生成した符号化ビット列に応じた変調シンボル列を生成する変調部と、
前記変調シンボル列に基づく信号を送信する送信部と
を具備することを特徴とする送信装置。
【請求項９】
前記ビット符号化装置が前記符号化ビット列に含める前記第３のビット列のビット数の、前記入力ビット列のビット数に対する割合を、前記ビット符号化装置における符号化率または前記変調部における変調方式に応じて決定する圧縮制御部
を具備することを特徴とする請求項８に記載の送信装置。
【請求項１０】
前記ビット符号化装置が前記符号化ビット列に含める前記第３のビット列のビット数の、前記入力ビット列のビット数に対する割合を、前記入力ビット列の再送回数に応じて決定する圧縮制御部
を具備することを特徴とする請求項８に記載の送信装置。
【請求項１１】
前記ビット符号化装置が前記符号化ビット列に含める前記第３のビット列のビット数の、前記入力ビット列のビット数に対する割合を、ＥＸＩＴ解析により決定する圧縮制御部
を具備することを特徴とする請求項８に記載の送信装置。
【請求項１２】
請求項５に記載のビット復号装置と、
信号を受信する受信部と、
前記受信した信号を復調し、該復調結果を、前記入力された信号として前記ビット復号装置に入力する復調部と
を具備することを特徴とする受信装置。
【請求項１３】
前記復調結果における前記第３のビット列に対応する信号の割合を、前記ビット符号化装置における符号化率または前記復調部における変調方式に応じて判定し、前記ビット復号装置の判別部に通知する圧縮制御部
を具備し、
前記判別部は、前記割合を用いて、前記第３のビット列に対応する信号の抽出を行うことを特徴とする請求項１２に記載の受信装置。
【請求項１４】
前記復調結果における前記第３のビット列に対応する信号の割合を、前記受信した信号の再送回数に応じて判定し、前記ビット復号装置の判別部に通知する圧縮制御部
を具備し、
前記判別部は、前記割合を用いて、前記第３のビット列に対応する信号の抽出を行うことを特徴とする請求項１２に記載の受信装置。
【請求項１５】
前記復調結果における前記第３のビット列に対応する信号の割合を、ＥＸＩＴ解析により判定し、前記ビット復号装置の判別部に通知する圧縮制御部
を具備し、
前記判別部は、前記割合を用いて、前記第３のビット列に対応する信号の抽出を行うことを特徴とする請求項１２に記載の受信装置。
【請求項１６】
入力された入力ビット列をターボ符号により誤り訂正符号化して、符号化ビット列を生成するビット符号化方法であって、
前記入力ビット列をターボ符号化して、第１のビット列を生成する符号化過程と、
前記第１のビット列から、第２のビット列を抽出する抽出過程と、
前記第２のビット列を非可逆圧縮して、第３のビット列を生成する情報圧縮過程と
を有し、
前記符号化ビット列は、前記第３のビット列の少なくとも一部を含むこと
を特徴とするビット符号化方法。
【請求項１７】
請求項１６に記載のビット符号化方法により符号化された符号化ビット列に基づく信号をターボ復号するビット復号方法であって、
入力された信号から前記第３のビット列に対応する信号を抽出する判別過程と、
前記入力された信号に対して復号処理を行う復号過程と、
前記判別過程にて抽出した信号と前記復号過程の復号処理結果とを用いて、前記第２のビット列の少なくとも一部に対応する信号を生成する外部情報抽出過程と
を有し、
前記復号過程において、少なくとも一回は、前記外部情報抽出過程にて生成した信号を用いて、前記入力された信号に対する復号処理を行うこと
を特徴とするビット復号方法。
【請求項１８】
入力された入力ビット列をターボ符号により誤り訂正符号化して、符号化ビット列を生成するビット符号化過程と、
前記ビット符号化過程により生成された符号化ビット列に応じた変調シンボル列を生成する変調過程と、
前記変調シンボル列に基づく信号を送信する送信過程と
を有し、
前記ビット符号化過程は、
前記入力ビット列をターボ符号化して、第１のビット列を生成する符号化過程と、
前記第１のビット列から、第２のビット列を抽出する抽出過程と、
前記第２のビット列を非可逆圧縮して、第３のビット列を生成する情報圧縮過程と
を有し、
前記符号化ビット列は、前記第３のビット列の少なくとも一部を含むこと
を特徴とする送信方法。
【請求項１９】
請求項１６に記載のビット符号化方法により符号化された符号化ビット列に基づく信号を受信する受信方法であって、
信号を受信する受信過程と、
前記受信した信号を復調する復調過程と、
前記復調結果をターボ復号するビット復号過程と
を有し、
前記ビット復号過程は、
前記復調過程による復調結果から前記第３のビット列に対応する信号を抽出する判別過程と、
前記復調結果に対して復号処理を行う復号過程と、
前記判別過程にて抽出した信号と前記復号部の復号処理結果とを用いて、前記第２のビット列の少なくとも一部に対応する信号を生成する外部情報抽出過程と
を有し、
前記復号過程において、少なくとも一回は、前記外部情報抽出にて生成した信号を用いて、前記復調結果に対する復号処理を行うこと
を特徴とする受信方法。
【請求項２０】
入力された入力ビット列をターボ符号により誤り訂正符号化して、符号化ビット列を生成するビット符号化装置のコンピュータを、
前記入力ビット列をターボ符号化して、第１のビット列を生成する符号化部、
前記第１のビット列から、第２のビット列を抽出する抽出部、
前記第２のビット列を非可逆圧縮して、第３のビット列を生成する情報圧縮部
として機能させるためのプログラムであって、
前記符号化ビット列は、前記第３のビット列の少なくとも一部を含むこと
を特徴とするプログラム。
【請求項２１】
請求項１に記載のビット符号化装置により符号化された符号化ビット列に基づく信号をターボ復号するビット復号装置のコンピュータを、
入力された信号から前記第３のビット列に対応する信号を抽出する判別部、
前記入力された信号に対して復号処理を行う復号部、
前記判別が抽出した信号と前記復号部の復号処理結果とを用いて、前記第２のビット列の少なくとも一部に対応する信号を生成する外部情報抽出部
として機能させるためのプログラムであって、
前記復号部は、少なくとも一回は、前記外部情報抽出が生成した信号を用いて、前記入力された信号に対する復号処理を行うこと
を特徴とするプログラム。
【請求項２２】
コンピュータを、
請求項１に記載のビット符号化装置、
前記ビット符号化装置が生成した符号化ビット列に応じた変調シンボル列を生成する変調部、
前記変調シンボル列に基づく信号を送信する送信部
として機能させるためのプログラム。
【請求項２３】
コンピュータを、
請求項５に記載のビット復号装置、
信号を受信する受信部、
前記受信した信号を復調し、該復調結果を、前記入力された信号として前記ビット復号装置に入力する復調部
として機能させるためのプログラム。